(57)【特許請求の範囲】
【請求項１】
端末が登録されたホームネットワークの通信システムであり、
前記ホームネットワークとの間でローミング接続される訪問ネットワークから送信されて前記ホームネットワークで受信されたセッション開始要求メッセージに含まれる前記端末の発信先の電話番号が前記ホームネットワークに属さないローカル番号である場合に、前記端末の存在する地域を特定する位置情報を取得する位置情報取得部と、
前記位置情報と前記端末の発信先の電話番号である前記ローカル番号とを使用して、前記端末の発信先の電話番号である前記ローカル番号を有するセッション開始要求メッセージを送信する宛先のネットワークドメインの解決処理を実行する宛先解決部と、
前記位置情報と前記端末の発信先の電話番号である前記ローカル番号とを使用して、前記位置情報で特定される地域の電話番号解決部へ前記宛先のネットワークドメインの問合せを実行する電話番号解決部と、
を備える通信システム。
【請求項２】
端末が登録されたホームネットワークの通信システムの宛先解決方法であり、
位置情報取得部が、前記ホームネットワークとの間でローミング接続される訪問ネットワークから送信されて前記ホームネットワークで受信されたセッション開始要求メッセージに含まれる前記端末の発信先の電話番号が前記ホームネットワークに属さないローカル番号である場合に、前記端末の存在する地域を特定する位置情報を取得する位置情報取得ステップと、
宛先解決部が、前記位置情報と前記端末の発信先の電話番号である前記ローカル番号とを使用して、前記端末の発信先の電話番号である前記ローカル番号を有するセッション開始要求メッセージを送信する宛先のネットワークドメインの解決処理を実行する宛先解決ステップと、
電話番号解決部が、前記位置情報と前記端末の発信先の電話番号である前記ローカル番号とを使用して、前記位置情報で特定される地域の電話番号解決部へ前記宛先のネットワークドメインの問合せを実行するステップと、
を含む宛先解決方法。
【発明の詳細な説明】
【技術分野】
【０００１】
本発明は、通信システム及び宛先解決方法に関する。
【背景技術】
【０００２】
ＩＭＳ（IP Multimedia Subsystem）は、ＩＰ（Internet Protocol）ベースのマルチメディア通信サービスを提供することを目的として、３ＧＰＰ（3rd Generation Partnership Project）国際標準として既定される（例えば、非特許文献１参照）。ＩＭＳは、アクセス網に依存しないＩＰで通信するコアネットワークである。各アクセス網はＩＰ−ＣＡＮ（IP Connectivity Access Network：ＩＰ接続アクセスネットワーク）と呼ばれる。ＩＭＳは、複数のＩＰ−ＣＡＮをシームレスに収容することを可能とする。ＩＭＳは、アクセス網に依存しないため、異なるアクセス網で共通のマルチメディア通信サービス（例えば、ＩＰ電話、テレビ電話、ＩＭ（Instant Message）など）を提供することを可能にする。
【０００３】
ＩＭＳは、主に、セッション制御機能（ＣＳＣＦ：Call Session Control Function）、アプリケーションサービス制御機能（ＡＳ）を含む。また、ＩＭＳは、ユーザ情報蓄積機能（ＨＳＳ）を含む。ＣＳＣＦは、サービス制御ネットワークの制御の核であるセッション制御を行う機能であり、端末間の通信セッションの設定および解放を行う。また、ＣＳＣＦは、サービス条件にしたがってＡＳを選択して、セッション制御プロトコルであるＳＩＰ（Session Initiation Protocol）の信号やセッション記述プロトコルであるＳＤＰ（Session Description Protocol）の信号を転送する。ＣＳＣＦは、Ｐ−ＣＳＣＦ（Proxy-CSCF）、Ｓ−ＣＳＣＦ（Serving-CSCF）、Ｉ−ＣＳＣＦ（Interrogating-CSCF）の３つの機能要素を含む。
【０００４】
ＩＭＳは、異なるＩＰ網（他のＩＭＳやＮＧＮ（Next Generation Network）等）と接続することが可能である。ホームネットワーク（Home網）に加入登録されたＵＥ（User Equipment：端末）は、ホームネットワークとローミング（roaming）接続が可能な外部の訪問ネットワーク（Visited網）に接続し、訪問ネットワークを介してインターネットサービスを利用することができる。ＵＥは訪問ネットワークを介してホームネットワークにあるＩＭＳに対してサービス利用登録を開始することができる。このとき、Ｐ−ＣＳＣＦは訪問ネットワークに備わるものが使用され、一方、Ｓ−ＣＳＣＦやＨＳＳはホームネットワークに備わるものが使用される。これにより、ＵＥが要求するサービスをホームネットワークの事業者のポリシーに沿って提供することが可能となる。また、音声通話などのサービス提供時に発信されるＳＩＰ信号やＳＤＰ信号はホームネットワークのＳ−ＣＳＣＦで処理され、発信先への接続処理が行われる。
【０００５】
訪問ネットワークにローミング接続するＵＥが音声通話などの通信相手を電話番号で指定するサービスにおいて、ホームネットワークに属する電話番号、又はホームネットワークが属する地域の電話番号の通信相手との通信を確立する場合、ＵＥは電話番号の先頭に国際電話番号を付与するＥ．１６４形式を使用して発信する必要がある。この場合、ＵＥから送信されたＩＮＶＩＴＥ（セッション開始要求）メッセージは、訪問ネットワークのＰ−ＣＳＣＦを介してホームネットワークのＳ−ＣＳＣＦで受信される。ホームネットワークのＳ−ＣＳＣＦは、ＩＮＶＩＴＥメッセージのドメイン名を「e164.arpa」のドメイン名に変換し、ＥＮＵＭ（E.164 NUmber Mapping）によって通信相手の電話番号が属するネットワークドメインを調べ、分かったネットワークドメインをＩＮＶＩＴＥメッセージの宛先のネットワークドメインとしてＩＮＶＩＴＥメッセージの宛先のネットワークまでの通信路のルーティングを行い、ＩＮＶＩＴＥメッセージを転送する。
【０００６】
一方、訪問ネットワークにローミング接続するＵＥが音声通話などの通信相手を電話番号で指定するサービスにおいて、訪問ネットワークに属する電話番号、又は訪問ネットワークが属する地域の電話番号の通信相手との通信を確立する場合、ＵＥが電話番号の先頭に国際電話番号を付与しない電話番号（以下、ローカル番号と称する）を使用して発信すると、通信相手との通信を確立することができない。これは、ＵＥから送信されたＩＮＶＩＴＥメッセージが訪問ネットワークのＰ−ＣＳＣＦを介してホームネットワークのＳ−ＣＳＣＦで受信された後、ホームネットワークのＳ−ＣＳＣＦが、ＩＮＶＩＴＥメッセージ中のローカル番号をＥ．１６４形式に変換することができず、ＩＮＶＩＴＥメッセージの宛先のネットワークドメインを調べることができないためである。
【０００７】
この問題に対して、非特許文献２に記載される「ＲＡＶＥＬ（Roaming Architecture for Voice over IMS with Local Breakout）」技術では、訪問ネットワークからホームネットワークへ送信されるＩＮＶＩＴＥメッセージに対し、訪問ネットワーク側にあるサーバのアドレスや音声データの経路の情報を付加してＩＮＶＩＴＥメッセージをホームネットワークのＳ−ＣＳＣＦへ転送する。そして、ホームネットワークのＳ−ＣＳＣＦは、ＵＥのサービス利用登録のありを確認し、ＩＮＶＩＴＥメッセージに付加された情報に基づいてＩＮＶＩＴＥメッセージを訪問ネットワークへ転送する。この場合、ＩＮＶＩＴＥメッセージ中のローカル番号をＥ．１６４形式に変換する処理は、ローカル番号が属する訪問ネットワークで実行されるので、該変換は成功する。これにより、ＩＮＶＩＴＥメッセージの宛先のネットワークドメインを調べることができるので、分かったネットワークドメインをＩＮＶＩＴＥメッセージの宛先のネットワークドメインとしてＩＮＶＩＴＥメッセージの宛先のネットワークまでの通信路のルーティングを行い、ＩＮＶＩＴＥメッセージを転送することにより通信相手との通信を確立することができる。
【先行技術文献】
【非特許文献】
【０００８】
【非特許文献１】3GPP TS 23.228、「IP Multimedia Subsystem (IMS); Stage 2」
【非特許文献２】3GPP TR 23.850、「Study on roaming architecture for voice over IP Multimedia Subsystem (IMS) with local breakout」
【発明の概要】
【発明が解決しようとする課題】
【０００９】
しかし、上述した従来のＲＡＶＥＬ技術では、訪問ネットワークからホームネットワークを経由して訪問ネットワークへ戻る通信経路でＳＩＰ信号が転送されるので、ＳＩＰ信号を中継する通信ノードが多くなり、不要な通信経路を介して通信することや、多くの端末で転送処理が発生すること等により通信コストや通信不通のリスクが増大する可能性があった。
【００１０】
本発明は、このような事情を考慮してなされたものであり、訪問ネットワークに接続するＵＥ（端末）が電話番号の先頭に国際電話番号を付与しない電話番号（ローカル番号）を使用して発信する場合に、通信相手との通信を確立することができると共に、ＳＩＰ信号の転送にかかる通信コストの増大を防ぎ、接続手順の単純化による接続率の向上などができる通信システム及び宛先解決方法を提供することを課題とする。
【課題を解決するための手段】
【００１１】
（１）本発明の一態様は、端末が登録されたホームネットワークの通信システムであり、前記ホームネットワークとの間でローミング接続される訪問ネットワークから送信されて前記ホームネットワークで受信されたセッション開始要求メッセージに含まれる前記端末の発信先の電話番号が前記ホームネットワークに属さないローカル番号である場合に、前記端末の存在する地域を特定する位置情報を取得する位置情報取得部と、前記位置情報と前記端末の発信先の電話番号である前記ローカル番号とを使用して、前記端末の発信先の電話番号である前記ローカル番号を有するセッション開始要求メッセージを送信する宛先のネットワークドメインの解決処理を実行する宛先解決部と、前記位置情報と前記端末の発信先の電話番号である前記ローカル番号とを使用して、前記位置情報で特定される地域の電話番号解決部へ前記宛先のネットワークドメインの問合せを実行する電話番号解決部と、を備える通信システムである。
【００１３】
（２）本発明の一態様は、端末が登録されたホームネットワークの通信システムの宛先解決方法であり、位置情報取得部が、前記ホームネットワークとの間でローミング接続される訪問ネットワークから送信されて前記ホームネットワークで受信されたセッション開始要求メッセージに含まれる前記端末の発信先の電話番号が前記ホームネットワークに属さないローカル番号である場合に、前記端末の存在する地域を特定する位置情報を取得する位置情報取得ステップと、宛先解決部が、前記位置情報と前記端末の発信先の電話番号である前記ローカル番号とを使用して、前記端末の発信先の電話番号である前記ローカル番号を有するセッション開始要求メッセージを送信する宛先のネットワークドメインの解決処理を実行する宛先解決ステップと、電話番号解決部が、前記位置情報と前記端末の発信先の電話番号である前記ローカル番号とを使用して、前記位置情報で特定される地域の電話番号解決部へ前記宛先のネットワークドメインの問合せを実行するステップと、を含む宛先解決方法である。
【発明の効果】
【００１４】
本発明によれば、訪問ネットワークに接続するＵＥ（端末）が電話番号の先頭に国際電話番号を付与しない電話番号（ローカル番号）を使用して発信する場合に、通信相手との通信を確立することができる。また、ＳＩＰ信号の転送にかかる通信コストの増大を防ぎ、接続手順の単純化による接続率の向上などができる、という効果が得られる。
【図面の簡単な説明】
【００１５】
【図１】本発明の一実施形態に係る無線通信システムを示す構成図である。
【図２】本発明の一実施形態に係る宛先解決方法の例１を示すシーケンスチャートである。
【図３】本発明の一実施形態に係る宛先解決方法の例２を示すシーケンスチャートである。
【発明を実施するための形態】
【００１６】
以下、図面を参照し、本発明の実施形態について説明する。本実施形態では、通信システムの例として無線通信システムを挙げて説明する。
図１は、本発明の一実施形態に係る無線通信システムを示す構成図である。図１において、ＵＥ（端末）＿３０が登録されたホームネットワーク１０としての無線通信システムは、ＡＳ＿１１とＳ−ＣＳＣＦ＿１２とＨ−ＥＮＵＭ＿１３とＨＳＳ＿１４とを備える。ＡＳ＿１１は位置情報取得部１１０を備える。Ｓ−ＣＳＣＦ＿１２は宛先解決部１２０を備える。Ｈ−ＥＮＵＭ＿１３は電話番号解決部１３０を備える。
【００１７】
ＵＥ＿３０は、ホームネットワーク１０とローミング接続が可能な外部の訪問ネットワーク２０に接続する。訪問ネットワーク２０としての無線通信システムは、Ｐ−ＣＳＣＦ＿２１とＥＰＣ（Evolved Packet Core）＿２２とＬＴＥ（Long Term Evolution）＿２３とＭＭＥ（Mobility Management Entity）＿２４とＶ−ＥＮＵＭ＿２５とを備える。Ｖ−ＥＮＵＭ＿２５は電話番号解決部２５０を備える。ＵＥ＿３０は、無線アクセス網としてのＬＴＥ＿２３に接続する。
【００１８】
ＵＥ＿３０の通信相手であるＵＥ＿５０が接続する発信先ネットワーク４０としての無線通信システムは、Ｓ−ＣＳＣＦ＿４１とＰ−ＣＳＣＦ＿４２とを備える。発信先ネットワーク４０は、訪問ネットワーク２０と同じ地域に属する。訪問ネットワーク２０及び発信先ネットワーク４０が属する地域は、ホームネットワーク１０とは異なる。
【００１９】
ホームネットワーク１０のｍｎｃ（mobile network code）は「111」、ｍｃｃ（mobile country code）は「999」である。訪問ネットワーク２０のｍｎｃは「222」、ｍｃｃは「888」である。これらｍｎｃ及びｍｃｃの値は説明の便宜上の値である。ｍｎｃ及びｍｃｃはＰＬＭＮ（Public Land Mobile Network）の識別子（PLMN-ID）を構成する。
【００２０】
次に、図２、図３を参照して、本実施形態に係る無線通信システムの動作を説明する。図２は、本実施形態に係る宛先解決方法の例１を示すシーケンスチャートである。図３は、本実施形態に係る宛先解決方法の例２を示すシーケンスチャートである。
【００２１】
以下の説明では、訪問ネットワーク２０のＬＴＥ＿２３に接続するＵＥ＿３０は、Ｐ−ＣＳＣＦ＿２１を介してホームネットワーク１０のＩＭＳに利用登録完了済みである。また、ＵＥ＿３０は、発信先の電話番号として、電話番号の先頭に国際電話番号を付与しない電話番号であるローカル番号を使用する。
【００２２】
［宛先解決方法の例１］
図２を参照して宛先解決方法の例１に係る無線通信システムの動作を説明する。
【００２３】
（ステップＳ１）ＵＥ＿３０は、ＵＥ＿５０を音声通話等の通信相手とする発信を実行する。これにより、ＵＥ＿３０は、発信先ネットワーク４０におけるＵＥ＿５０の電話番号であるローカル番号を発信先の電話番号として含むＩＮＶＩＴＥ（セッション開始要求）メッセージを、Ｐ−ＣＳＣＦ＿２１へ送信する。この送信されるＩＮＶＩＴＥメッセージの例は以下となる。
ＩＮＶＩＴＥメッセージ：「Request-URI:sip:12345678;phone-context=ims.mnc111.mcc999.3gppnetwork.org@ims.mnc111.mcc999.3gppnetwork.org;user=phone」
但し、発信先のローカル番号は「12345678」である。この発信先のローカル番号は、説明の便宜上の番号である。ＩＮＶＩＴＥメッセージの「phone-context」に記載されるネットワークドメインには、ＵＥ＿３０のＩＭＳＩ（International Mobile Subscriber Identity）に含まれるホームネットワーク１０のネットワークドメインを使用する。
【００２４】
（ステップＳ２）Ｐ−ＣＳＣＦ＿２１は、ＵＥ＿３０から受信したＩＮＶＩＴＥメッセージを、ホームネットワーク１０のＳ−ＣＳＣＦ＿１２へ転送する。この転送されるＩＮＶＩＴＥメッセージの例は以下となる。
ＩＮＶＩＴＥメッセージ：「Request-URI:sip:12345678;phone-context=ims.mnc111.mcc999.3gppnetwork.org@ims.mnc111.mcc999.3gppnetwork.org;user=phone P-Visited-Network-ID:ims.mnc222.mcc888.3gppnetwork.org」
Ｐ−ＣＳＣＦ＿２１には、ＵＥ＿３０がホームネットワーク１０のＩＭＳに利用登録された時に、ホームネットワーク１０のＳ−ＣＳＣＦ＿１２が登録される。
【００２５】
（ステップＳ３）Ｓ−ＣＳＣＦ＿１２は、Ｐ−ＣＳＣＦ＿２１から受信したＩＮＶＩＴＥメッセージの「Request-URI」がローカル番号形式であるかを判断する。この判断の結果、「Request-URI」がローカル番号形式である場合には、Ｅ．１６４形式の「SIP-URI」に変換するために、Ｐ−ＣＳＣＦ＿２１から受信したＩＮＶＩＴＥメッセージをＡＳ＿１１へ転送する。なお、ステップＳ３において、Ｓ−ＣＳＣＦ＿１２は、ＵＥ＿３０の在圏する地域がホームネットワーク１０であるのか、又は、訪問ネットワーク２０であるのかを判別しなくてもよい。
【００２６】
（ステップＳ４）ＡＳ＿１１は、Ｓ−ＣＳＣＦ＿１２から受信したＩＮＶＩＴＥメッセージに対して、「Number Normalization」処理を実行する。「Number Normalization」処理では、ＩＮＶＩＴＥメッセージに含まれるローカル番号形式の「Request-URI」を、Ｅ．１６４形式の「SIP-URI」に変換する。このとき、「Request-URI」に含まれるローカル番号が、訪問ネットワーク２０が属する地域のローカル番号である場合、ホームネットワーク１０では「Request-URI」をＥ．１６４形式の「SIP-URI」に変換することができない。これは、ホームネットワーク１０が属する地域は、訪問ネットワーク２０が属する地域とは異なるので、ホームネットワーク１０では訪問ネットワーク２０の番号形式を保持しないためである。
【００２７】
ここでは、「Request-URI」に含まれるローカル番号は、訪問ネットワーク２０が属する地域のローカル番号「12345678」である。したがって、ＡＳ＿１１の「Number Normalization」処理では、Ｓ−ＣＳＣＦ＿１２から受信したＩＮＶＩＴＥメッセージの「Request-URI」をＥ．１６４形式の「SIP-URI」に変換することができない。
【００２８】
（ステップＳ５）ＡＳ＿１１の位置情報取得部１１０は、Ｅ．１６４形式の「SIP-URI」に変換することができない「Request-URI」を含むＩＮＶＩＴＥメッセージ（要求対象ＩＮＶＩＴＥメッセージと称する）を送信したＵＥ＿３０の「Location Information：位置情報」を要求するＵＤＲ（User Data Request）メッセージをＨＳＳ＿１４へ送信する。
【００２９】
（ステップＳ６）ＨＳＳ＿１４は、ＡＳ＿１１から受信したＵＤＲメッセージに応じて、ＵＥ＿３０が接続する訪問ネットワーク２０のＰＬＭＮ−ＩＤ［ｍｎｃ「222」、ｍｃｃ「888」］を含むＵＤＡ（User Data Answer）メッセージをＡＳ＿１１へ返信する。訪問ネットワーク２０のＰＬＭＮ−ＩＤ［ｍｎｃ「222」、ｍｃｃ「888」］は、ＵＥ＿３０が訪問ネットワーク２０のＬＴＥ＿２３に接続した時に、訪問ネットワーク２０のＭＭＥ＿２４からホームネットワーク１０のＨＳＳ＿１４へＵＬＲ（User Location Request）を実行することにより、ＵＥ＿３０が接続するＬＴＥ＿２３のＰＬＭＮ−ＩＤとしてＨＳＳ＿１４に登録されたものである。
【００３０】
（ステップＳ７）ＡＳ＿１１は、ＨＳＳ＿１４から受信したＵＤＡメッセージに含まれるＰＬＭＮ−ＩＤ［ｍｎｃ「222」、ｍｃｃ「888」］を使用して、要求対象ＩＮＶＩＴＥメッセージの「phone-context」に含まれるホームネットワーク１０のｍｎｃとｍｃｃを、訪問ネットワーク２０のｍｎｃとｍｃｃに変更し、変更した要求対象ＩＮＶＩＴＥメッセージをＳ−ＣＳＣＦ＿１２へ転送する。この転送されるＩＮＶＩＴＥメッセージの例は以下となる。
ＩＮＶＩＴＥメッセージ：「Request-URI:sip:12345678;phone-context=ims.mnc222.mcc888.3gppnetwork.orgp@ims.mnc111.mcc999.3gppnetwork.org;user=phone P-Visited-Network-ID:ims.mnc222.mcc888.3gppnetwork.org」
【００３１】
（ステップＳ８）Ｓ−ＣＳＣＦ＿１２は、ＡＳ＿１１から受信したＩＮＶＩＴＥメッセージの「Request-URI」がローカル番号形式であるかを判断する。この判断の結果、「Request-URI」がローカル番号形式である場合には、宛先解決部１２０が当該ＩＮＶＩＴＥメッセージ（解決対象ＩＮＶＩＴＥメッセージと称する）を送信する宛先のネットワークドメインの解決処理を実行する。この解決処理では、宛先解決部１２０は、解決対象ＩＮＶＩＴＥメッセージの「Request-URI」に含まれるローカル番号「12345678」と、当該解決対象ＩＮＶＩＴＥメッセージの「phone-context」に含まれるＰＬＭＮ−ＩＤ［ｍｎｃ「222」、ｍｃｃ「888」］とから構成される問合せ形式「8.7.6.5.4.3.2.1.8.8.8.2.2.2.local1」を使用して、Ｈ−ＥＮＵＭ＿１３へ、「ENUM Query」メッセージを送信する。
【００３２】
（ステップＳ９）Ｈ−ＥＮＵＭ＿１３の電話番号解決部１３０は、Ｓ−ＣＳＣＦ＿１２から受信した「ENUM Query」メッセージの問合せ形式「8.7.6.5.4.3.2.1.8.8.8.2.2.2.local1」に含まれるＰＬＭＮ−ＩＤ［ｍｎｃ「222」、ｍｃｃ「888」］に対応する訪問ネットワーク２０のＶ−ＥＮＵＭ＿２５へ、問合せ形式「8.7.6.5.4.3.2.1.8.8.8.2.2.2.local1」の「ENUM Query」メッセージを転送する。なお、ＥＮＵＭ機能はＤＮＳ（Domain Name System）と同じ仕組みで動作する。これにより、電話番号解決部１３０は、Ｓ−ＣＳＣＦ＿１２から受信した「ENUM Query」メッセージの問合せ形式「8.7.6.5.4.3.2.1.8.8.8.2.2.2.local1」に基づいて、当該ローカル番号「12345678」を解決可能な訪問ネットワーク２０のＶ−ＥＮＵＭ＿２５へ、問合せ形式「8.7.6.5.4.3.2.1.8.8.8.2.2.2.local1」の「ENUM Query」メッセージを転送する。
【００３３】
（ステップＳ１０）Ｖ−ＥＮＵＭ＿２５の電話番号解決部２５０は、Ｈ−ＥＮＵＭ＿１３から受信した問合せ形式「8.7.6.5.4.3.2.1.8.8.8.2.2.2.local1」の「ENUM Query」メッセージに応じて、当該ローカル番号「12345678」に対する自己の検索結果を含む「ENUM Answer」メッセージをＨ−ＥＮＵＭ＿１３へ返信する。この返信される「ENUM Answer」メッセージの例は以下となる。
「ENUM Answer」メッセージ：「sip:12345678;phone-context=ims.mnc222.mcc888.3gppnetwork.org@dest.com;user=phone」
【００３４】
（ステップＳ１１）Ｈ−ＥＮＵＭ＿１３の電話番号解決部１３０は、Ｖ−ＥＮＵＭ＿２５から受信した「ENUM Answer」メッセージをＳ−ＣＳＣＦ＿１２へ転送する。
【００３５】
（ステップＳ１２）Ｓ−ＣＳＣＦ＿１２の宛先解決部１２０は、Ｈ−ＥＮＵＭ＿１３から受信した「ENUM Answer」メッセージから、解決対象ＩＮＶＩＴＥメッセージを送信する宛先のネットワークドメインを取得する。Ｓ−ＣＳＣＦ＿１２は、「ENUM Answer」メッセージから取得されたネットワークドメインに基づいてルーティング処理を行い、宛先のネットワークである発信先ネットワーク４０のＳ−ＣＳＣＦ＿４１へ、解決対象ＩＮＶＩＴＥメッセージを送信する。この送信されるＩＮＶＩＴＥメッセージの例は以下となる。
ＩＮＶＩＴＥメッセージ：「Request-URI:sip:12345678;phone-context=ims.mnc222.mcc888.3gppnetwork.org@dest.com;user=phone」
【００３６】
なお、電話番号解決部を備えるＥＮＵＭは、ローカル番号にＰＬＭＮ−ＩＤを付加した形式のＤＮＳレコードでデータを保持することが好ましい。また、ホームネットワーク１０のＨ−ＥＮＵＭ＿１３がホームネットワーク１０以外のネットワークにあるＥＮＵＭと連携する場合、連携先のＥＮＵＭも同一構造を備えることにより、電話番号解決を行うことが好ましい。
【００３７】
また、電話番号解決部は、図１に示されるように、ＥＮＵＭの一部としてもよく、又は、ＥＮＵＭとは別個の装置としてもよい。また、電話番号解決部は、ホームネットワーク１０、訪問ネットワーク２０の各々に、ローカル番号とローカル番号に対応する宛先のネットワークドメインとを関連付けたデータベースとして備えてもよい。
【００３８】
［宛先解決方法の例２］
図３を参照して宛先解決方法の例２に係る無線通信システムの動作を説明する。図３において、上述した図２の各ステップに対応する部分には同一の符号を付け、その説明を省略する。
【００３９】
ステップＳ１〜Ｓ７は上述した宛先解決方法の例１（図２）と同じである。ステップＳ７の後にステップＳ２１に進む。
【００４０】
（ステップＳ２１）Ｓ−ＣＳＣＦ＿１２は、ＡＳ＿１１から受信したＩＮＶＩＴＥメッセージの「Request-URI」がローカル番号形式であるかを判断する。この判断の結果、「Request-URI」がローカル番号形式である場合には、宛先解決部１２０が当該ＩＮＶＩＴＥメッセージ（解決対象ＩＮＶＩＴＥメッセージと称する）を送信する宛先のネットワークドメインの解決処理を実行する。この解決処理では、宛先解決部１２０は、解決対象ＩＮＶＩＴＥメッセージの「phone-context」に含まれるＰＬＭＮ−ＩＤ［ｍｎｃ「222」、ｍｃｃ「888」］から構成される問合せ形式「8.8.8.2.2.2.local2」を使用して、Ｈ−ＥＮＵＭ＿１３へ、「ENUM Query」メッセージを送信する。
【００４１】
（ステップＳ２２）Ｈ−ＥＮＵＭ＿１３の電話番号解決部１３０は、Ｓ−ＣＳＣＦ＿１２から受信した問合せ形式「8.8.8.2.2.2.local2」の「ENUM Query」メッセージに応じて、当該問合せ形式「8.8.8.2.2.2.local2」に含まれるＰＬＭＮ−ＩＤ［ｍｎｃ「222」、ｍｃｃ「888」］に対応する国際電話番号の検索を実行する。電話番号解決部１３０は、その検索の結果である国際電話番号「123」を含む「ENUM Answer」メッセージをＳ−ＣＳＣＦ＿１２へ返信する。
【００４２】
（ステップＳ２３）Ｓ−ＣＳＣＦ＿１２の宛先解決部１２０は、Ｈ−ＥＮＵＭ＿１３から受信した「ENUM Answer」メッセージに含まれる国際電話番号「123」と、解決対象ＩＮＶＩＴＥメッセージの「Request-URI」に含まれるローカル番号「12345678」と、ドメイン名「e164.arpa」とから構成されるDNS NAPTRレコード形式「8.7.6.5.4.3.2.1.3.2.1.e164.arpa」を使用して、Ｈ−ＥＮＵＭ＿１３へ、「ENUM Query」メッセージを送信する。
【００４３】
（ステップＳ２４）Ｈ−ＥＮＵＭ＿１３の電話番号解決部１３０は、Ｓ−ＣＳＣＦ＿１２から受信した「ENUM Query」メッセージのDNS NAPTRレコード形式「8.7.6.5.4.3.2.1.3.2.1.e164.arpa」に対応する訪問ネットワーク２０のＶ−ＥＮＵＭ＿２５へ、DNS NAPTRレコード形式「8.7.6.5.4.3.2.1.3.2.1.e164.arpa」の「ENUM Query」メッセージを転送する。なお、電話番号解決部１３０は、DNS NAPTRレコード形式「8.7.6.5.4.3.2.1.3.2.1.e164.arpa」に基づいて、ＥＮＵＭ（E.164 NUmber Mapping）によって通信相手の電話番号が属するネットワークドメインを調べる所定の手順により、訪問ネットワーク２０のＶ−ＥＮＵＭ＿２５へ、DNS NAPTRレコード形式「8.7.6.5.4.3.2.1.3.2.1.e164.arpa」の「ENUM Query」メッセージを転送する。
【００４４】
（ステップＳ２５）Ｖ−ＥＮＵＭ＿２５の電話番号解決部２５０は、Ｈ−ＥＮＵＭ＿１３から受信したDNS NAPTRレコード形式「8.7.6.5.4.3.2.1.3.2.1.e164.arpa」の「ENUM Query」メッセージに応じて、当該ローカル番号「12345678」に対する自己の検索結果を含む「ENUM Answer」メッセージをＨ−ＥＮＵＭ＿１３へ返信する。この返信される「ENUM Answer」メッセージの例は以下となる。
「ENUM Answer」メッセージ：「sip:12345678;phone-context=ims.mnc222.mcc888.3gppnetwork.org@dest.com;user=phone」
【００４５】
（ステップＳ２６）Ｈ−ＥＮＵＭ＿１３の電話番号解決部１３０は、Ｖ−ＥＮＵＭ＿２５から受信した「ENUM Answer」メッセージをＳ−ＣＳＣＦ＿１２へ転送する。ステップＳ２６の後にステップＳ１２に進む。ステップＳ１２は上述した宛先解決方法の例１（図２）と同じである。
【００４６】
なお、電話番号解決部がＤＮＳベースで動作することにより、宛先解決結果をキャッシュすることが可能である。また、宛先解決部１２０は、同一ＰＬＭＮ−ＩＤに対する国際電話番号解決の問い合わせが発生した場合、自己のキャッシュに格納される宛先解決結果の国際電話番号を使用してもよい。この場合、ステップＳ２１，Ｓ２２を省略することができる。
【００４７】
上述した実施形態によれば、訪問ネットワーク２０に接続するＵＥ＿３０が電話番号の先頭に国際電話番号を付与しない電話番号（ローカル番号）を使用して発信する場合に、通信相手との通信を確立することができる。また、ＲＡＶＥＬ技術のように、訪問ネットワークからホームネットワークを経由して訪問ネットワークへ戻る通信経路でＳＩＰ信号を転送しなくてよいので、ＳＩＰ信号の転送にかかる通信コストの増大を防ぐことができる。
【００４８】
また、本実施形態によれば、ローカル番号に対応する宛先のネットワークドメインをホームネットワーク側で取得可能になる。これにより、ホームネットワーク側でＳＩＰ信号の転送経路を決定することができる。また、ホームネットワーク側で、ＳＩＰ信号を中継するＩＰＸ（Internetwork Packet eXchange）事業者を指定することができる。
【００４９】
以上、本発明の実施形態について図面を参照して詳述してきたが、具体的な構成はこの実施形態に限られるものではなく、本発明の要旨を逸脱しない範囲の設計変更等も含まれる。
【００５０】
なお、Ｓ−ＣＳＣＦ＿１２は通信中継装置の例である。Ｓ−ＣＳＣＦ＿１２は、ＵＥ＿３０が登録されたホームネットワーク１０との間でローミング接続される訪問ネットワーク２０から受信したＩＮＶＩＴＥメッセージを位置情報取得部１１０へ供給し、該ＩＮＶＩＴＥメッセージに含まれるＵＥ＿３０の発信先の電話番号がホームネットワーク１０に属さないローカル番号である場合に、ＵＥ＿３０の存在する地域を特定する位置情報を位置情報取得部１１０から取得し、位置情報取得部１１０から受信した該位置情報と該ＩＮＶＩＴＥメッセージに含まれる該ローカル番号とを宛先解決部１２０へ供給し、該ＩＮＶＩＴＥメッセージを送信する宛先のネットワークドメインの解決処理の実行結果を宛先解決部１２０から取得し、宛先解決部１２０から取得した該実行結果のネットワークドメインに基づいて、該ＩＮＶＩＴＥメッセージを転送してもよい。
【００５１】
上述した実施形態では、通信システムの例として無線通信システムを挙げて説明したが、端末が有線回線を介して接続する有線通信システムにも同様に適用するができる。
【符号の説明】
【００５２】
１０…ホームネットワーク、１１…ＡＳ、１２，４１…Ｓ−ＣＳＣＦ、１３…Ｈ−ＥＮＵＭ、１４…ＨＳＳ、２０…訪問ネットワーク、２１，４２…Ｐ−ＣＳＣＦ、２２…ＥＰＣ、２３…ＬＴＥ、２４…ＭＭＥ、２５…Ｖ−ＥＮＵＭ、３０，５０…ＵＥ、４０…発信先ネットワーク、１１０…位置情報取得部、１２０…宛先解決部、１３０…電話番号解決部、２５０…電話番号解決部
【図１】
0006449646.tif 000002
【図２】
0006449646.tif 000003
【図３】
0006449646.tif 000004